(57)【特許請求の範囲】
【請求項１】
センタ側装置と、ラジオを含んだオーディオ装置を備えた車両に配置される車両側装置とを含む車両情報システムであって、
前記車両側装置は、
当該車両を識別する識別情報、及び車種に関する車種情報を含んだ車両情報と、前記オーディオ装置が鳴動している音源に係る音源情報とを取得する情報取得手段と、
前記センタ側装置に対して前記情報取得手段の取得した車両情報、並びに音源情報を送信し、前記センタ側装置が送信する情報を受信する通信手段と、
を含み、
前記センタ側装置は、
前記車両側装置から受信する車両情報、並びに音源情報を受信する手段と、
（１）前記受信した車両情報に含まれる識別情報ごとの、当該識別情報とともに過去に受信した音源情報、
（２）前記受信した車両情報に含まれる車種ごとの、当該車種情報とともに過去に受信した音源情報、並びに、
（３）前記受信した音源情報、
に基づき、予め定めた選抜条件により、予め定められたデータベースから音源を選抜する選抜手段と、
前記選抜した音源の情報を、前記車両側装置に送信する手段と、
を含み、
前記選抜条件は、音源情報がラジオの聴取により得られたと判断されるものであるか否かを表す条件を含み、前記選抜手段が、ラジオの聴取により得られた音源情報が、前記受信した車両情報に含まれる識別情報とともに過去に受信した音源情報に含まれていない場合に、当該音源情報に対応する音源を前記データベースから選抜する車両情報システム。
【請求項２】
ラジオを含んだオーディオ装置を備えた車両に配置される車両側装置と通信可能に配されるセンタ側装置であって、
前記車両側装置から、当該車両側装置を備える車両を識別する識別情報、及び当該車両の車種に関する車種情報を含んだ車両情報と、当該車両が備えるオーディオ装置が鳴動している音源に係る音源情報と受信する受信手段と、
（１）前記受信した車両情報に含まれる識別情報ごとの、当該識別情報とともに過去に受信した音源情報、
（２）前記受信した車両情報に含まれる車種ごとの、当該車種情報とともに過去に受信した音源情報、並びに、
（３）前記受信した音源情報、
に基づき、予め定めた選抜条件により、予め定められたデータベースから音源を選抜する選抜手段と、
前記選抜した音源の情報を、前記車両側装置に送信する送信手段と、
を含み、
前記選抜条件は、音源情報がラジオの聴取により得られたと判断されるものであるか否かを表す条件を含み、前記選抜手段が、ラジオの聴取により得られた音源情報が、前記受信した車両情報に含まれる識別情報とともに過去に受信した音源情報に含まれていない場合に、当該音源情報に対応する音源を前記データベースから選抜するセンタ側装置。
【請求項３】
請求項２に記載のセンタ側装置であって、
前記車両側装置はさらに、前記車両のワイパー動作の情報を送信し、前記受信手段は、当該ワイパー動作の情報を受信し、
前記選抜手段は、
（１）前記受信した車両情報に含まれる識別情報ごとの、当該識別情報とともに過去に受信した音源情報、
（２）前記受信した車両情報に含まれる車種ごとの、当該車種情報とともに過去に受信した音源情報、
（３）前記受信した音源情報、
及び、
（４）前記受信したワイパー動作の情報とともに過去に受信した音源情報、
に基づき、予め定めた選抜条件により、予め定められたデータベースから音源を選抜するセンタ側装置。
【請求項４】
請求項２または３に記載のセンタ側装置であって、
前記車両側装置はさらに、車両に備えられた各シートベルトの装着の有無を表す情報を送信し、前記受信手段は、当該シートベルトの装着の有無を表す情報を受信し、
前記選抜手段は、前記受信手段が受信したシートベルトの装着の有無を表す情報に基づいて乗車人員の人数を推定し、当該推定の結果に基づいて選抜条件を異ならせるセンタ側装置。
【発明の詳細な説明】
【技術分野】
【０００１】
本発明は、オーディオ装置を備えた車両に関係した車両情報システム、車両側装置、及びセンタ側装置に関する。
【背景技術】
【０００２】
近年の車両では、広く電子制御が行われており、車両の各種情報がＣＡＮ（Control Area Network）等、車両内のネットワークを介して共有されている。こうした車両の各種情報には、例えばブレーキの動作やワイパーの動作、カーナビゲーションシステムが取得した位置情報、カーオーディオで鳴動されているラジオの設定周波数やＣＤ（Compact Disc）の識別情報等、幅広い情報が含まれる。
【０００３】
また近年では、携帯電話通信網を介してインターネット等のネットワークに接続するサービスが広く行われており、多くの利用者が移動中に、楽曲の購入等を行っている。
【０００４】
なお、特許文献１には、各ユーザがリコメンド情報として自らが推薦する音楽等の情報を登録しておき、ユーザ間の連携に基づいて他のユーザの情報を検索するとともに、当該他のユーザが推薦する音楽等の情報を表示する例が開示されている。
【先行技術文献】
【特許文献】
【０００５】
【特許文献１】特開２００６-０２３８７６号公報
【発明の概要】
【発明が解決しようとする課題】
【０００６】
しかしながら、上記従来の車両から得られる情報は、ネットワークを介して収集可能であるにも関わらず、有効に利用されていないのが現状である。例えば車内の人物は、車内で聴いている楽曲から推定される、当該人物に合った楽曲があったとしても、当該楽曲の情報を得ることはできない。
【０００７】
本発明は上記実情に鑑みて為されたもので、車両から得られる情報を有効に利用し、車内の人物に楽曲に関する情報を提供できる車両情報システム、車両側装置、及びセンタ側装置を提供することを、目的の一つとする。
【課題を解決するための手段】
【０００８】
上記従来例の問題点を解決するための本発明は、センタ側装置と、オーディオ装置を備えた車両に配置される車両側装置とを含む車両情報システムであって、前記車両側装置は、当該車両を識別する識別情報、及び車種に関する車種情報を含んだ車両情報と、前記オーディオ装置が鳴動している音源に係る音源情報とを取得する情報取得手段と、前記センタ側装置に対して前記情報取得手段の取得した車両情報、並びに音源情報を送信し、前記センタ側装置が送信する情報を受信する通信手段と、を含み、前記センタ側装置は、前記車両側装置から受信する車両情報、並びに音源情報を受信する手段と、（１）前記受信した車両情報に含まれる識別情報ごとの、当該識別情報とともに過去に受信した音源情報、（２）前記受信した車両情報に含まれる車種ごとの、当該車種情報とともに過去に受信した音源情報、並びに、（３）前記受信した音源情報、に基づき、予め定めた選抜条件により、予め定められたデータベースから音源を選抜する選抜手段と、前記選抜した音源の情報を、前記車両側装置に送信する手段と、を含むこととしたものである。
【０００９】
また本発明の一態様は、オーディオ装置を備えた車両に配置される車両側装置であって、当該車両を識別する識別情報、及び車種に関する車種情報を含んだ車両情報と、前記オーディオ装置が鳴動している音源に係る音源情報とを取得する情報取得手段と、前記センタ側装置に対して前記情報取得手段の取得した車両情報、並びに音源情報を送信し、前記センタ側装置が送信する情報を受信する通信手段と、を有することとしたものである。
【００１０】
さらに、本発明の別の態様は、オーディオ装置を備えた車両に配置される車両側装置と通信可能に配されるセンタ側装置であって、前記車両側装置から、当該車両側装置を備える車両を識別する識別情報、及び当該車両の車種に関する車種情報を含んだ車両情報と、当該車両が備えるオーディオ装置が鳴動している音源に係る音源情報とを受信する受信手段と、（１）前記受信した車両情報に含まれる識別情報ごとの、当該識別情報とともに過去に受信した音源情報、（２）前記受信した車両情報に含まれる車種ごとの、当該車種情報とともに過去に受信した音源情報、並びに、（３）前記受信した音源情報、に基づき、予め定めた選抜条件により、予め定められたデータベースから音源を選抜する選抜手段と、前記選抜した音源の情報を、前記車両側装置に送信する送信手段と、を含むこととしたものである。
【００１１】
またここで前記車両側装置はさらに、前記車両のワイパー動作の情報を送信し、前記受信手段は、当該ワイパー動作の情報を受信し、前記選抜手段は、（１）前記受信した車両情報に含まれる識別情報ごとの、当該識別情報とともに過去に受信した音源情報、（２）前記受信した車両情報に含まれる車種ごとの、当該車種情報とともに過去に受信した音源情報、（３）前記受信した音源情報、及び、（４）前記受信したワイパー動作の情報とともに過去に受信した音源情報、に基づき、予め定めた選抜条件により、予め定められたデータベースから音源を選抜することとしてもよい。
【００１２】
さらに前記選抜手段が用いる前記選抜条件には、前記（３）受信した音源情報を除く音源情報に係る音源を、前記予め定められたデータベースから選抜する条件が含まれてもよい。さらに前記車両側装置は、車両に備えられた各シートベルトの装着の有無を表す情報を送信し、前記受信手段は、当該シートベルトの装着の有無を表す情報を受信し、前記選抜手段は、前記受信手段が受信したシートベルトの装着の有無を表す情報に基づいて乗車人員の人数を推定し、当該推定の結果に基づいて選抜条件を異ならせてもよい。
【発明の効果】
【００１３】
本発明によると、車両から得られる情報を有効に利用し、車内の人物に楽曲に関する情報を提供できる。
【図面の簡単な説明】
【００１４】
【図１】本発明の実施の形態に係る車両情報システムの構成例を表すブロック図である。
【図２】本発明の実施の形態に係る車両側装置の構成例を表すブロック図である。
【図３】本発明の実施の形態に係るセンタ側装置の構成例を表すブロック図である。
【図４】本発明の実施の形態に係るセンタ側装置で保持される情報の例を表す説明図である。
【図５】本発明の実施の形態に係るセンタ側装置の動作例を表すフローチャート図である。
【発明を実施するための形態】
【００１５】
本発明の実施の形態について図面を参照しながら説明する。本発明の実施の形態に係る車両情報システムは、図１に例示するように、センタ側装置１と、それぞれにオーディオ装置２ａ，ｂ，…を備えた車両３ａ，ｂ，…に配置される車両側装置４ａ，ｂ，…とを含む。
【００１６】
車両側装置４は、図２に例示するように、制御部４１、記憶部４２、ネットワークインタフェース４３、通信部４４、及び表示部４５を含んで構成される。ここで制御部４１は、ＣＰＵなどのプログラム制御デバイスであり、記憶部４２に格納されたプログラムに従って動作する。具体的に本実施の形態では、この制御部４１は、所定のタイミングごとに繰り返して、車両ごとに固有に発行された、車両を識別する識別情報と、車種に関する車種情報を含んだ車両情報とをネットワークインタフェース４３を介して取得する。またこの制御部４１は、ネットワークインタフェース４３を介してオーディオ装置２が鳴動している音源に係る音源情報を取得する。
【００１７】
そして制御部４１は、通信部４４を介して、センタ側装置１に対して取得した車両情報や音源情報を送信する。また制御部４１はセンタ側装置１が送信する情報を、通信部４４を介して受信し、この受信した情報を、表示部４５に表示出力する。
【００１８】
記憶部４２は、メモリデバイス等であり、制御部４１によって実行されるプログラムを保持している。このプログラムは、例えばＤＶＤ-ＲＯＭ等のコンピュータ可読な記録媒体を介して提供され、この記憶部４２に格納されたものであってもよい。またこのプログラムは、インターネット上のサーバ等からネットワークを介して提供され、この記憶部４２に格納されたものであってもよい。さらにこの記憶部４２は、制御部４１のワークメモリとしても動作する。
【００１９】
ネットワークインタフェース４３は、車両内のネットワーク（ＣＡＮ等）に接続される。このネットワークインタフェース４３は、この車両内のネットワークを介して、車両の各部に配されている車両制御装置（ＥＣＵ（Engine Control Unit等））から各種の情報を受信し、制御部４１に出力している。具体的に、ここでネットワークインタフェース４３が受信する情報には、ワイパーの動作の有無、またはワイパーの設定（停止、間欠動作、低速動作、高速動作の別など）の情報が含まれてもよい。またこのネットワークインタフェース４３が受信する情報には車両内のそれぞれの座席に設けられた各シートベルトの装着の有無を表す情報が含まれてもよい。
【００２０】
通信部４４は、携帯電話通信網等に接続され、外部のネットワークを介してセンタ側装置１との間で各種の情報を送受する。この通信部４４は、制御部４１から入力される指示に従い、センタ側装置１宛に、指示された情報を送信する。またこの通信部４４は、携帯電話通信網を介してセンタ側装置１から受信した情報を制御部４１に出力している。
【００２１】
表示部４５は、制御部４１から入力される指示に従い、車両３が備えているカーナビゲーションシステム等の表示画面に対して、情報を表示出力する。一例としてこの表示部４５は、制御部４１から入力される指示に従って、指示された情報を表示するための映像信号を出力する。またこの表示部４５はディスプレイを備えて、制御部４１から入力される指示に従って、このディスプレイに情報を表示してもよい。
【００２２】
センタ側装置１は、図３に例示するように、制御部１１と、記憶部１２と、通信部１３とを含んで構成される。この制御部１１はＣＰＵ等のプログラム制御デバイスであり、記憶部１２に格納されたプログラムに従って動作する。
【００２３】
本実施の形態では、この制御部１１は、携帯電話通信網を介して車両側装置４と通信し、車両側装置４から当該車両側装置４を搭載した車両３を識別する識別情報、及び車両３の車種に関する車種情報を含んだ車両情報と、当該車両側装置４とともに車両３側に備えられているオーディオ装置２が鳴動している音源に係る音源情報とを取得する。そして制御部１１は、複数の車両３ａ，ｂ，…側の車両側装置４ａ，ｂ，…から受信した車両情報、並びに音源情報を記憶部２に蓄積する。制御部１１は、ある車両３の車両側装置４から情報を受信すると、この情報と、記憶部１２に蓄積した情報とを用い、
（１）受信した車両情報に含まれる識別情報ごとの、当該識別情報とともに過去に受信した音源情報、
（２）受信した車両情報に含まれる車種ごとの、当該車種情報とともに過去に受信した音源情報、並びに、
（３）受信した音源情報、
に基づき、予め定めた選抜条件により、予め定められたデータベース（後述）から音源を選抜する。制御部１１はそして、この選抜した音源の情報を、情報の送信元となっている車両側装置４に送信する。この制御部１１の詳しい動作については、後に述べる。
【００２４】
記憶部１２は、メモリデバイス等であり、制御部１１によって実行されるプログラムを保持する。この記憶部１２は、また、制御部１１のワークメモリとしても動作する。通信部１３は、インターネット等のネットワークに接続されており、このネットワークと携帯電話通信網とを介して車両側装置４との間で各種の情報を送受する。
【００２５】
ここで、センタ側装置１の制御部１１の動作の例について述べる。既に述べたように、制御部１１は、車両３に搭載された車両側装置４から受信した情報を記憶部１２に蓄積する。具体的にこの蓄積した内容は、図４に例示するように、情報受信元の車両３を識別する識別情報（Ａ）、及び当該車両３の車種に関する車種情報（Ｂ）…を含んだ車両情報（α）と、車両３が備えるオーディオ装置２が鳴動している音源に係る音源情報（β）とをそれぞれ関連付けたものである。
【００２６】
ここで車種情報（Ｂ）は、例えば登録された車両の型式情報（自動車検査証等に記載される型式の情報等）や、自動車の種別、用途、形状、乗車定員等の情報でよい。また音源情報（β）は、例えば聴かれているラジオのバンド（ＡＭ，ＦＭ等の別）や、周波数の情報、並びに日時の情報、あるいは、聴かれているＣＤの楽曲の固有情報（米国グレースノート社のMusicＩＤ（登録商標）等の情報でよい）やＭＰ３タグの情報（曲名、アーチスト名等）といったものでよい。またセンタ側装置１では、音源の情報がラジオのバンドや周波数の情報等である場合は、当該情報で特定されるラジオ局が提供する、当該時間帯に放送されていた楽曲の曲名やアーチスト名の情報を取得し、受信した音源情報に代えて、この取得した曲名やアーチスト名の情報を音源情報として記憶部１２に蓄積してもよい。
【００２７】
また本実施の形態においてセンタ側装置１は、選抜の対象となる楽曲の一覧を保持する、予め定めたデータベースから音源を選抜する。このデータベースは例えば、米国アップル社のiTunes Music Store（商標）等といった音源を販売するサイトのデータベースでよい。
【００２８】
センタ側装置１の制御部１１は、新たにいずれかの車両側装置４から情報Ｉを受信して図５に例示する処理を開始する。具体的にこの制御部１１は、今回新たに受信した情報Ｉに含まれる車両情報を参照し、当該車両情報から識別情報と、車種情報とを抽出する（Ｓ１）。
【００２９】
制御部１１は、抽出した識別情報と同じ識別情報に関連付けて過去に記憶部１２に蓄積された（当該抽出した識別情報とともに過去に受信した）音源情報を検索する（Ｓ２）。また制御部１１は、処理Ｓ１で抽出した車種情報と同じに関連付けて記憶部１２に蓄積された（当該抽出した車種情報とともに過去に受信した）音源情報を検索する（Ｓ３）。
【００３０】
制御部１１は、処理Ｓ２で検索により見出した音源情報の出現頻度を演算する。すなわち、同じ楽曲を表す音源情報（曲名やアーチスト名が共通する音源情報）Ｍ［ｉ］（ｉ＝１，２，…）ごとの出現頻度の値Ｌｓ［ｉ］（ｉ＝１，２，…）を演算する（Ｓ４）。
【００３１】
また制御部１１は、処理Ｓ３での検索により見出した音源情報の出現頻度を演算する。すなわち、同じ楽曲を表す音源情報（曲名やアーチスト名が共通する音源情報）Ｍ［ｊ］（ｊは自然数）ごとの出現頻度の値Ｌａ［ｊ］（ｊは自然数）を演算する（Ｓ５）
【００３２】
制御部１１は、処理Ｓ４，Ｓ５で演算した出現頻度の値Ｌｓ，Ｌａであって、同じ音源情報（曲名やアーチスト名が共通する音源情報）に係る値Ｌｓ［ｋ］，Ｌａ［ｋ］を用いて、音源情報Ｍ［ｋ］（ｋ＝１，２…）に対する評価値Ｖ［ｋ］を、例えばＶ［ｋ］＝ａ×Ｌａ［ｋ］−ｂ×Ｌｓ［ｋ］として演算する（Ｓ６）。ここでａ，ｂは任意の重みとする。この評価値Ｖ［ｋ］は、同じ車種に乗っているユーザ（新たな情報の送信元であるユーザを含む）が聴く頻度に係る値から、自分自身の聴く頻度に係る値を引いたものに相当し、いわば同じ車種に乗っている他のユーザがある楽曲Ｍ［ｋ］を聴く頻度に対応する値となっている。
【００３３】
制御部１１は、ここで演算した評価値の高い順に、新たに受信した情報Ｉに含まれる音源情報で特定される楽曲を除く楽曲に係る音源情報を少なくとも一つ取り出す。そして制御部１１は、ここで取り出した音源情報に対応する音源を、上記の予め定められたデータベースから選抜する（Ｓ７）。ここで選抜は、例えばデータベースにおける当該音源へのリンクを抽出することによって行うことができる。制御部１１は、選抜した音源に係る情報（例えば抽出したリンク）を、新たに受信した情報の送信元である車両側装置４へ送出する（Ｓ８）。
【００３４】
この例によると、センタ側装置１は、「同じ車種に乗っている他のユーザがよく聴き、また自分自身はあまり聴いていない楽曲であって、特にたった今聴いた楽曲でないもの」を選抜条件として、データベースから楽曲を選抜することになる。
【００３５】
本実施の形態のある例では、車両情報システムが上記の構成を備えてなり、次のように動作する。センタ側装置１は、複数の車両３ａ，ｂ，…の車両側装置４ａ，ｂ，…からそれぞれ情報を受け入れる。ここで車両側装置４が送信する情報は、各車両側装置４にて所定のタイミングごとに繰り返して取得された情報である。この情報には、車両ごとに固有に発行された、車両を識別する識別情報と、車種に関する車種情報を含んだ車両情報が含まれる。またこの情報には、車両３に備えられたオーディオ装置２が鳴動している音源に係る音源情報が含まれる。
【００３６】
センタ側装置１では、これら各車両３ａ，ｂ，…から受信した情報を記憶部１２に蓄積する（図４に例示した通り）。そしてセンタ側装置１は、ある車両３ｎから情報を受信したときに、当該受信した情報に含まれる車両情報から識別情報と、車種情報とを取り出す。そしてこの取り出した識別情報と同じ識別情報とともに過去に受信した音源情報、並びに、取り出した車種情報と同じ車種情報とともに過去に受信した音源情報を記憶部１２から検索する。
【００３７】
センタ側装置１は、検索により見出した音源情報と、車両３ｎから受信した情報に含まれる音源情報とを用いて、車両３ｎ内のユーザに対して提供するべき音源の情報を選抜する。本実施の形態では、この選抜は、音源の販売サイト等、予め定められたデータベースに保持される音源のうちから行われる。
【００３８】
具体的に本実施の形態のセンタ側装置１のある例では、「同じ車種に乗っている他のユーザがよく聴き、また自分自身はあまり聴いていない楽曲であって、特にたった今聴いた楽曲でないもの」を選抜条件として、データベースから楽曲を選抜する。つまりセンタ側装置１は、車両３ｎと同じ車種を表す車種情報に関連付けて記憶部１２に格納された音源情報のうち、車両３ｎの識別情報に関連付けて記憶部１２に格納された音源情報と、車両３ｎから受信した音源情報とを除く。そして、こうして得られた音源情報のうち、出現頻度の高い順に、少なくとも一つの音源情報を取り出し、当該取り出した音源情報に対応する音源を、データベースから選抜する。
【００３９】
また本実施の形態における音源の選抜条件は、上述の「同じ車種に乗っている他のユーザがよく聴き、また自分自身はあまり聴いていない楽曲であって、特にたった今聴いた楽曲でないもの」に限られない。例えば、センタ側装置１は、車両３ｎから受信した音源情報がラジオの聴取により得られたものであるか、あるいは、ＣＤ等に記録された音源を聴いて得られたものであるかを判断する。これは例えばラジオの周波数の情報を含むか否かにより判断できる。
【００４０】
センタ側装置１は、受信した音源情報がＣＤ等に記録された音源を聴いて得られたものである場合、車両３ｎと同じ車種を表す車種情報に関連付けて記憶部１２に格納された音源情報のうち、車両３ｎの識別情報に関連付けて記憶部１２に格納された音源情報と、車両３ｎから受信した音源情報とを除く。そして、こうして得られた音源情報のうち、出現頻度の高い順に、少なくとも一つの音源情報を取り出し、当該取り出した音源情報に対応する音源を、データベースから選抜する。
【００４１】
またセンタ側装置１は、受信した音源情報がラジオの聴取により得られたものである場合、車両３ｎと同じ車種を表す車種情報に関連付けて記憶部１２に格納された音源情報であって、車両３ｎの識別情報に関連付けて記憶部１２に格納された音源情報を除いて得られた音源情報のうち、出現頻度の高い順に、少なくとも一つの音源情報を取り出す。またセンタ側装置１は、ラジオの聴取により得られたと判断された音源情報が、車両３ｎの識別情報に関連付けて記憶部１２に格納された音源情報に含まれていない場合に、当該音源情報と、先に取り出した音源情報とに対応する各音源を、データベースから選抜する。
【００４２】
さらにセンタ側装置１は、ラジオの聴取により得られたと判断された音源情報が、車両３ｎの識別情報に関連付けて記憶部１２に格納された音源情報に含まれているときには、先に取り出した音源情報に対応する音源を、データベースから選抜する。
【００４３】
これにより「ラジオで聴取したが、普段は聴いていない音源」を「同じ車種に乗っている他のユーザがよく聴き、また自分自身はあまり聴いていない楽曲」に加えるとの選抜条件で、センタ側装置１が楽曲を選択することになる。
【００４４】
さらに本実施の形態においては、車両側装置４は、車両情報としてワイパーの動作の有無や、カーナビゲーションが取得したＧＰＳ（Global Positioning System）の情報（位置情報）、ブレーキの頻度（車両側装置４において、所定時間ごとにブレーキの回数をカウントすることによって得られる）、各シートベルトの装着の有無等の情報を得て、これらを併せて音源情報とともにセンタ側装置１へ送信してもよい。
【００４５】
センタ側装置１では、各車両３ａ，ｂ，…から受信した、これらを含んだ車両情報に関連付けて音源情報を記憶部１２に蓄積する。センタ側装置１は、ある車両３ｎから情報を受信したときに、当該受信した情報に含まれる車両情報から識別情報と、車種情報と、例えばワイパーの動作の有無の情報を取り出す。そしてこの取り出した識別情報及びワイパーの動作の有無と同じ識別情報及びワイパー動作の有無とともに過去に受信した音源情報、並びに、取り出した車種情報及びワイパーの動作の有無と同じ車種情報及びワイパーの動作の有無とともに過去に受信した音源情報を記憶部１２から検索する。
【００４６】
センタ側装置１は、当該検索により見出した音源情報と、車両３ｎから受信した情報に含まれる音源情報とを用いて、車両３ｎ内のユーザに対して提供するべき音源の情報を選抜する。この例によると「同じ車種に乗っている他のユーザが、ワイパーの動作状態が現在と同じときに（雨の状態が現在と同じときに）よく聴き、また自分自身はあまり聴いていない楽曲であって、特にたった今聴いた楽曲でないもの」などの選抜条件で、楽曲を選抜できるようになる。
【００４７】
またカーナビゲーションによる位置情報を利用する場合、センタ側装置１または車両側装置４において、位置情報（緯度、経度の情報）と地図情報とを照合し、車両３が存在する場所を「海沿い」、「山岳地帯」、「都市部」、「都市間高速上」といった、予め定めた区域情報のいずれかに分類し、当該分類を車両情報に含めて記憶部１２に蓄積しておく。そして同じ区域情報を含んだ車両情報に関連付けられた音源情報を検索する。そしてセンタ側装置１は、この検索結果を選抜に用いる。これにより、例えば車両の走行地域が例えば海沿いであるときによく聴かれている楽曲、といった選抜条件とすることができる。
【００４８】
さらに、各シートベルトの装着の有無の情報を用いる場合、センタ側装置１では、装着されているシートベルトの数によって車両の乗車人員の数を推定し、この推定結果に基づいて選抜条件を異ならせてもよい。
【００４９】
具体的に本実施の形態のある例では、センタ側装置１は、推定した乗車人員の数が単数（１人）であるか複数であるかによって選抜の条件を異ならせる。例えば、センタ側装置１の制御部１１は、車両３に搭載された車両側装置４から受信した情報を記憶部１２に蓄積する際に、日時、あるいは曜日に関する情報を含めて蓄積してもよい。そしてセンタ側装置１では、蓄積した情報を曜日により（例えば平日であるか土日祝日であるかにより）分類する。そして制御部１１は、ある車両３ｎから情報を受信したときに、当該受信した曜日の情報と、当該受信した情報に含まれる車両情報から識別情報と、車種情報と、シートベルトの装着の有無の情報を取り出す。そしてこの取り出したシートベルトの装着の有無の情報により１人で乗車していると推定すると、過去、上記受信した曜日の情報により同じ種類の曜日（平日，土日祝日の別が同じ）であって、上記取り出した識別情報及び車種情報とともに受信した音源情報を記憶部１２から検索する。
【００５０】
センタ側装置１は、当該検索により見出した音源情報と、車両３ｎから受信した情報に含まれる音源情報とを用いて、車両３ｎ内のユーザに対して提供するべき音源の情報を選抜する。この例によると「同じ車種に乗っている他のユーザが、同じ種類の曜日（平日、土日祝日の別）によく聴き、たった今聴いた楽曲でないもの」などの選抜条件で、楽曲を選抜できるようになる。
【００５１】
一方、上記取り出したシートベルトの装着の有無の情報により複数人で乗車していると推定すると、制御部１１は、例えば車両３ｎから受信した情報にカーナビゲーションに設定された目的地の情報が含まれるならば、当該目的地を「海沿い」、「山岳地帯」、「都市部」、「都市間高速上」といった、予め定めた区域情報のいずれかに分類し、同じ区域情報を含んだ車両情報に関連付けられた音源情報を検索する。そしてセンタ側装置１は、この検索結果を選抜に用いる。これにより、例えば車両の走行地域が例えば海沿いであるときによく聴かれている楽曲、といった選抜条件とすることができる。
【００５２】
また、音源情報が受信された日時と音源情報の発売日とが予め定めた値を下回る場合、「流行曲」とのタグ情報を付して記憶部１２に蓄積して記録しておいてもよい。この場合、ある車両３ｎから受信した音源情報について、その受信された日時と音源情報の発売日とが予め定めた値を下回る場合には「流行曲」として、蓄積している情報のうち「流行曲」のタグ情報が付された音源情報を、記憶部１２に蓄積された情報から検索してもよい。このようにしておくと、発売日からの時間が短い曲を聴いている場合に、同様に過去において発売日からの経過日時が小さいのに多く再生されていた音源（過去の流行曲と推定されるもの）が選択的に選抜される。
【００５３】
また音源をカテゴリに分類できる場合は、このカテゴリの情報を選抜条件として用いてもよい。この場合、同種のカテゴリに分類された音源情報を含む情報を検索できる。
【００５４】
さらにここまでの説明では乗車人数をシートベルトの着用の有無で調べる例を述べたが、例えば車両側の情報として空気圧の情報が取得できる場合は、空気圧の情報に基づいて乗車人数を推定してもよい。具体的には、各車両の識別情報とともに受信された空気圧の出現頻度を所定の空気圧範囲ごとに累計し、所定のしきい値より多い頻度で生じた空気圧範囲のうち、空気圧が最も低いものを乗車人数「１」として、それ以外の頻度で生じた空気圧範囲については乗車人数が「複数」であるものとして判断してもよい。
【００５５】
さらに本実施の形態では、選抜された音源の情報は、情報を送信した車両側装置４に提供され、車両側装置４は選抜された音源の情報（例えば販売サイトへのリンク等）をカーナビゲーションシステムのディスプレイ等に表示する。ユーザは、この表示を用いて、音源を購入する等の作業を行うことができる。
【００５６】
このように本実施の形態によれば、車両から得られる各種の情報を有効に利用し、車内の人物に楽曲に関する情報を提供できる。
【符号の説明】
【００５７】
１  センタ側装置、２  オーディオ装置、３  車両、４  車両側装置、１１，４１  制御部、１２，４２  記憶部、４３  ネットワークインタフェース、４４  表示部、１３，４５  通信部。
【図１】
0005490196.tif 000002
【図２】
0005490196.tif 000003
【図３】
0005490196.tif 000004
【図４】
0005490196.tif 000005
【図５】
0005490196.tif 000006